(57)【要約】      （修正有）【課題】照明用発光ダイオードが浮遊容量によって微発光することを照明用発光ダイオードと微発光防止用コンデンサの並列接続によって防止する照明装置において、微発光防止用コンデンサの数を減少させ同様の効果を得る構成技術を提供する。【解決手段】照明用発光ダイオード７の複数が直列接続された回路に微発光防止用コンデンサ１２の一つが並列接続された回路を単位回路ＣＴとし、単位回路の所定数が直列接続されて発光部回路６Ｋを形成する。また、照明用発光ダイオードに対応する配光部を有する配光ユニットに各照明用発光ダイオードの収容凹部を形成し、各凹部に連通し両端部が配光ユニットの外側に開放する一連の通気溝に微発光防止用コンデンサを配置する。【選択図】図１３
2019220283.tif 000002
【特許請求の範囲】
【請求項１】
照明用発光ダイオードが浮遊容量によって微発光することを前記照明用発光ダイオードと微発光防止用コンデンサの並列接続によって防止する照明装置において、
前記照明用発光ダイオードの複数が直列接続された回路に前記微発光防止用コンデンサの一つが並列接続された回路を単位回路とし、前記単位回路の所定数が直列接続されて発光部回路が構成された、
ことを特徴とする照明装置。
【請求項２】
照明用発光ダイオードと、通電部となる導体部分を構成する配線パターンを備えた回路基板と、前記配線パターンと電気的絶縁間隔を存する電気的導電部分との間に形成される浮遊容量と、前記照明用発光ダイオードの一つまたは所定複数の直列回路に前記浮遊容量によって前記照明用発光ダイオードが微発光状態となることを防止する微発光防止用コンデンサが並列接続された単位回路と、前記単位回路の複数が直列接続されて構成された発光部回路とを有する照明装置において、
前記単位回路ごとに前記照明用発光ダイオードと前記微発光防止用コンデンサが直線状配置をなす関係で以って複数の前記単位回路が直線状に配置され、前記照明用発光ダイオードと前記微発光防止用コンデンサが前記回路基板の同じ面に突出状態に前記配線パターンの所定部に電気的に接続され、
前記照明用発光ダイオードに対応する配光部を有し前記回路基板に重ね合わせ状態に配置される配光ユニットを備え、
前記配光部は、前記回路基板に対向する面にそれぞれの前記照明用発光ダイオードが収容される凹部を形成したレンズ部を構成し、
前記配光ユニットは、前記凹部のそれぞれに連通し両端部が前記配光ユニットの外側に開放する一連の通気溝を裏側面に有し、
前記通気溝に前記微発光防止用コンデンサが配置された、
ことを特徴とする照明装置。
【請求項３】
複数が直列接続された照明用発光ダイオードと、通電部となる導体部分を構成する配線パターンを備えた回路基板と、前記配線パターンと電気的絶縁間隔を存する電気的導電部分との間に形成される浮遊容量と、前記浮遊容量によって前記照明用発光ダイオードが微発光状態となることを防止する微発光防止用コンデンサとを有し、前記照明用発光ダイオードの一つに前記微発光防止用コンデンサの一つが並列接続された単位回路の複数または前記照明用発光ダイオードの所定複数の直列回路に前記微発光防止用コンデンサの一つが並列接続された単位回路の複数が直列接続されて発光部回路を構成する照明装置において、
前記発光部回路は、前記単位回路の前記照明用発光ダイオードと前記微発光防止用コンデンサが直線状に並ぶ関係にて前記配線パターンの所定部に電気的に接続されて前記回路基板の同じ面に突出した直線状の並行２列の配置をなし、
前記並行２列の前記照明用発光ダイオードに対応する配光部を有し前記回路基板に重ね合わせ状態に配置される配光ユニットを備え、
前記配光部は、前記回路基板に対向する面に前記並行２列のそれぞれの前記照明用発光ダイオードが収容される凹部を形成したレンズ部を構成し、
前記配光ユニットは、前記並行２列の列ごとに前記凹部のそれぞれに連通し両端部が前記配光ユニットの外側に開放する一連の通気溝を裏側面に有し、
前記並行２列の列ごとの前記通気溝に前記並行２列の各列の前記微発光防止用コンデンサがそれぞれ配置された、
ことを特徴とする照明装置。
【請求項４】
前記照明用発光ダイオードの発光が下方を照射するように、前記照明装置が金属製の器具本体に組み込まれ、前記器具本体の下側面が前記照明用発光ダイオードの発光が透過する材質で構成されたカバーで覆われた、
ことを特徴とする請求項１乃至３のいずれか一つに記載の照明装置を備えた照明器具。
【請求項５】
前記発光部回路には交流電力の整流により得られた直流電力が印加され、前記直流電力は、前記照明器具の周囲の照度を検出する光センサの検出に基づき動作する半導体スイッチによってＯＮ−ＯＦＦ制御される、
ことを特徴とする請求項４に記載の照明器具。
【発明の詳細な説明】
【技術分野】
【０００１】
本発明は、回路基板に取り付けたＬＥＤ（発光ダイオード）の発光により被照明部を照明する照明装置、及びこの照明装置を備えた照明器具に関する。
【背景技術】
【０００２】
交流電源を入力源として、回路基板に直列接続状態のＬＥＤ（発光ダイオード）の発光によって、道路面等の被照明部を照明する照明器具がある。このような照明器具は、ＬＥＤの発光によって生じる熱を放散させるために、金属製の放熱板に回路基板の裏側を密着固定し、この放熱板を接地された金属製の照明器具本体のリブや周縁部に取り付けることにより、ＬＥＤの発光によって生じる熱を回路基板、放熱板及び照明器具本体から放出する構成が採用されている（特許文献１参照）。
【０００３】
このような照明器具は、交流電源を入力電源とし変換した直流電力をＬＥＤに供給するＬＥＤ駆動回路が設けられ、交流電源からＬＥＤ駆動回路への入力ラインの一方をＬＥＤ点灯・消灯スイッチでＯＮ−ＯＦＦする。この方式は、所謂片切りスイッチ方式である。
【０００４】
この構成において、回路基板の配線パターンの導体部分と、金属製の放熱板との間、及び金属製の照明器具本体との間に浮遊容量が生じており、ＬＥＤ点灯・消灯スイッチをＯＦＦ状態にした状態において、この浮遊容量を介して漏れ電流が流れ、この漏れ電流がＬＥＤに流れて、ＬＥＤが薄明り状態に微発光する現象が生じ、この微発光が人の目によって視認できる程度の明るさとなる場合があることは公知である（特許文献２参照）。
【先行技術文献】
【特許文献】
【０００５】
【特許文献１】特開２０１７-２０１５８５号公報
【特許文献２】特開２０１４-０２２０８７号公報
【発明の概要】
【発明が解決しようとする課題】
【０００６】
このような照明器具の微発光現象を防止するために、直列接続された各ＬＥＤにそれぞれコンデンサを並列接続する技術が採用されるが、対応する個々のＬＥＤの数だけコンデンサが必要となるため、ＬＥＤの数が多くなる照明器具では、それに伴ってコンデンサの数も多くなる。
【０００７】
本発明は、この点に鑑み、直列接続されたＬＥＤのうち、２個、３個というように、直列接続状態にある所定の複数個数のＬＥＤを一組とし、その組ごとにＬＥＤの微発光防止用コンデンサを並列接続することによって、微発光防止用コンデンサの数が少ない状態で、ＬＥＤが浮遊容量によって微発光することを防止できる効果を奏すること、回路基板への取付け部品数が少なくＬＥＤと微発光防止用コンデンサの回路基板への取付け配置がコンパクトになること、及び、所期の照度を得る場合の回路基板を小さくでき、照明器具の小型化に寄与できること。更に、ＬＥＤの光を所定の配光とする配光ユニットとの組み合わせにおいて、ＬＥＤの放熱促進を図り、且つ微発光防止用コンデンサとの衝突回避状態での回路基板への配光ユニットの取付けがし易くなる、等の効果を奏する照明装置及び照明器具を提供するものである。
【課題を解決するための手段】
【０００８】
第１の本発明は、
照明用発光ダイオードが浮遊容量によって微発光することを前記照明用発光ダイオードと微発光防止用コンデンサの並列接続によって防止する照明装置において、
前記照明用発光ダイオードの複数が直列接続された回路に前記微発光防止用コンデンサの一つが並列接続された回路を単位回路とし、前記単位回路の所定数が直列接続されて発光部回路が構成された、
ことを特徴とする照明装置である。
【０００９】
第２の本発明は、
照明用発光ダイオードと、通電部となる導体部分を構成する配線パターンを備えた回路基板と、前記配線パターンと電気的絶縁間隔を存する電気的導電部分との間に形成される浮遊容量と、前記照明用発光ダイオードの一つまたは所定複数の直列回路に前記浮遊容量によって前記照明用発光ダイオードが微発光状態となることを防止する微発光防止用コンデンサが並列接続された単位回路と、前記単位回路の複数が直列接続されて構成された発光部回路とを有する照明装置において、
前記単位回路ごとに前記照明用発光ダイオードと前記微発光防止用コンデンサが直線状配置をなす関係で以って複数の前記単位回路が直線状に配置され、前記照明用発光ダイオードと前記微発光防止用コンデンサが前記回路基板の同じ面に突出状態に前記配線パターンの所定部に電気的に接続され、
前記照明用発光ダイオードに対応する配光部を有し前記回路基板に重ね合わせ状態に配置される配光ユニットを備え、
前記配光部は、前記回路基板に対向する面にそれぞれの前記照明用発光ダイオードが収容される凹部を形成したレンズ部を構成し、
前記配光ユニットは、前記凹部のそれぞれに連通し両端部が前記配光ユニットの外側に開放する一連の通気溝を裏側面に有し、
前記通気溝に前記微発光防止用コンデンサが配置された、
ことを特徴とする照明装置である。
【００１０】
第３の本発明は、
複数が直列接続された照明用発光ダイオードと、通電部となる導体部分を構成する配線パターンを備えた回路基板と、前記配線パターンと電気的絶縁間隔を存する電気的導電部分との間に形成される浮遊容量と、前記浮遊容量によって前記照明用発光ダイオードが微発光状態となることを防止する微発光防止用コンデンサとを有し、前記照明用発光ダイオードの一つに前記微発光防止用コンデンサの一つが並列接続された単位回路の複数または前記照明用発光ダイオードの所定複数の直列回路に前記微発光防止用コンデンサの一つが並列接続された単位回路の複数が直列接続されて発光部回路を構成する照明装置において、
前記発光部回路は、前記単位回路の前記照明用発光ダイオードと前記微発光防止用コンデンサが直線状に並ぶ関係にて前記配線パターンの所定部に電気的に接続されて前記回路基板の同じ面に突出した直線状の並行２列の配置をなし、
前記並行２列の前記照明用発光ダイオードに対応する配光部を有し前記回路基板に重ね合わせ状態に配置される配光ユニットを備え、
前記配光部は、前記回路基板に対向する面に前記並行２列のそれぞれの前記照明用発光ダイオードが収容される凹部を形成したレンズ部を構成し、
前記配光ユニットは、前記並行２列の列ごとに前記凹部のそれぞれに連通し両端部が前記配光ユニットの外側に開放する一連の通気溝を裏側面に有し、
前記並行２列の列ごとの前記通気溝に前記並行２列の各列の前記微発光防止用コンデンサがそれぞれ配置された、
ことを特徴とする照明装置である。
【００１１】
第４の本発明は、前記照明用発光ダイオードの発光が下方を照射するように、上記第１乃至第３のいずれか一つに記載の照明装置が金属製の器具本体に組み込まれ、前記器具本体の下側面が前記照明用発光ダイオードの発光が透過する材質で構成されたカバーで覆われた照明器具である、
ことを特徴とする。
【００１２】
第５の本発明は、第４の本発明において、前記発光部回路には交流電力の整流により得られた直流電力が印加され、前記直流電力は、前記照明器具の周囲の照度を検出する光センサの検出に基づき動作する半導体スイッチによってＯＮ−ＯＦＦ制御されることを特徴とする。
【発明の効果】
【００１３】
本発明の照明装置は、発光部回路は、照明用発光ダイオードの複数が直列接続された回路に微発光防止用コンデンサの一つが並列接続された回路を単位回路とし、この単位回路の所定数が直列接続された構成であるため、微発光防止用コンデンサの数が少ない状態で、照明用発光ダイオードが浮遊容量によって微発光することを防止できる効果がある。このため、回路基板への取付け部品数が少なくなり、照明用発光ダイオードと微発光防止用コンデンサの回路基板への取付け配置がコンパクトになること、更に、所期の照度を得る場合の回路基板を小さくでき、照明器具の小型化に寄与できるものとなる。
【００１４】
また、本発明の照明装置は、ＬＥＤの光を所定の配光とする配光ユニットとの組み合わせがし易くなる。照明用発光ダイオードに対応する配光部を有する配光ユニットは、照明用発光ダイオードが収容される凹部のそれぞれに連通し両端部が配光ユニットの外側に開放する一連の通気溝を裏側面に有し、この通気溝に微発光防止用コンデンサが配置された構成である。このため、回路基板から突出する微発光防止用コンデンサの逃げ部分を配光ユニットに特別に形成する必要もなく、且つ照明用発光ダイオードの発熱は通気溝から配光ユニットの外側に放出されるため、照明用発光ダイオードの劣化や発光効率の低下を抑制できる。更に、回路基板に照明用発光ダイオードと微発光防止用コンデンサが一列配置状態とし、この一列配置状態に対応して通気溝を形成すれば、この通気溝への微発光防止用コンデンサの配置が容易となり、回路基板から突出する微発光防止用コンデンサの逃げ部分を配光ユニットに特別に形成する必要もなくなる。特に、一列配置状態を直線状配置とすることにより、通気溝も直線状とすることができるため、回路基板から突出する微発光防止用コンデンサの通気溝への収容もし易く、回路基板から突出する微発光防止用コンデンサの逃げ部分を配光ユニットに特別に形成する必要もなくなる。
【００１５】
また、本発明の照明装置は、発光部回路が、中間部に折り返し部を形成して直線状の並行２列配置をなすことにより、照度アップを図る照明装置として好ましいものとなり、この場合も、上記同様に、照明用発光ダイオードの発熱の通気溝からの放出による照明用発光ダイオードの劣化や発光効率の低下の抑制効果と、更に、回路基板に照明用発光ダイオードと一列配置された微発光防止用コンデンサの通気溝への配置効果が達成できる。また、照明用発光ダイオードは配光部の裏側の凹部に収容され、微発光防止用コンデンサは配光ユニットの裏側の通気溝に収容される状態に、照明用発光ダイオードの発光が透過する電気絶縁性の配光ユニットで覆われるため、通電部が露出することなく電気的な感電などに対し安全上の効果もある。
【００１６】
また、本発明の照明装置が金属製の器具本体に組み込まれ、器具本体の下側面が照明用発光ダイオードの発光が透過する材質で構成されたカバーで覆われた照明器具とする場合、上記同様の効果を奏する照明器具となる。また、発光部回路には交流電力の整流により得られた直流電力が印加され、前記直流電力は、照明器具の周囲の照度を検出する光センサの検出に基づき動作する半導体スイッチによってＯＮ−ＯＦＦ制御される。このため、上記のような効果を奏する照明器具とすることができると共に、交流ラインをＯＮ・ＯＦＦするものに比して、光センサの検出に基づき半導体スイッチにより照明用発光ダイオードへの直流電力供給ラインをＯＮ−ＯＦＦ制御することに適した照明器具として有効となります。
【図面の簡単な説明】
【００１７】
【図１】本発明に係る照明器具の分解斜視図である。
【図２】本発明に係る透光性カバーを外した状態の器具本体の下側面図である。
【図３】図２のＡ−Ａ断面図である。
【図４】図２のＢ−Ｂ断面図である。
【図５】本発明に係る照明器具の斜視図である。
【図６】本発明に係る照明装置の発光部回路図である。
【図７】本発明に係る配光ユニットを回路基板に取り付けた状態を示す平面図である。
【図８】本発明に係る配光ユニットの表面図である。
【図９】本発明に係る配光ユニットの裏面図である。
【図１０】本発明に係る照明装置の回路基板に形成した配線パターンとそれに接続したＬＥＤ素子と微発光防止用コンデンサの配置状態を示す平面図である。
【図１１】図１０における回路基板に前後二つの配光ユニットを取り付けた状態で、配光ユニットを透過して配光部と通気溝を実線で示す平面図である。
【図１２】図１１において配線パターンを省略した状態の平面図である。
【図１３】本発明に係る照明装置の発光部回路を含む回路図である。
【図１４】図１２のＬＥＤ素子の発光照射と通気溝との関係を説明するための左右方向に切断した断面図である。
【図１５】図１２のＬＥＤ素子の発光照射と通気溝との関係を説明するための前後方向に切断した断面図である。
【発明を実施するための形態】
【００１８】
本発明の照明装置は、照明用発光ダイオードが浮遊容量によって微発光することを前記照明用発光ダイオードと微発光防止用コンデンサの並列接続によって防止する照明装置において、前記照明用発光ダイオードの複数が直列接続された回路に前記微発光防止用コンデンサの一つが並列接続された回路を単位回路とし、前記単位回路の所定数が直列接続されて発光部回路が構成されている。
【００１９】
その一つの形態として、照明用発光ダイオードと、通電部となる導体部分を構成する配線パターンを備えた回路基板と、前記配線パターンと電気的絶縁間隔を存する電気的導電部分との間に形成される浮遊容量と、前記照明用発光ダイオードの一つまたは所定複数の直列回路に並列接続され前記浮遊容量によって前記照明用発光ダイオードが微発光状態となることを防止する微発光防止用コンデンサを備える発光部回路と、を有する照明装置において、前記照明用発光ダイオードと前記微発光防止用コンデンサは前記配線パターンの所定部に電気的に接続されて前記回路基板の同じ面に一列に突出し、前記一列の中間部に折り返し部を形成して直線状の並行２列の配置をなし、前記並行２列の前記照明用発光ダイオードに対応する配光部を有し前記回路基板に重ね合わせ状態に配置される配光ユニットを備え、前記配光部は、前記回路基板に対向する面に前記並行２列のそれぞれの前記照明用発光ダイオードが収容される凹部を形成したレンズ部を構成し、前記配光ユニットは、前記並行２列の列ごとに前記凹部のそれぞれに連通し両端部が前記配光ユニットの外側に開放する一連の通気溝を裏側面に有し、前記並行２列の列ごとの前記通気溝に前記並行２列の各列の前記微発光防止用コンデンサがそれぞれ配置された、ことを特徴とする照明装置である。
以下、本発明の実施形態として、本発明の照明装置を備えた照明器具について図面を参照して説明する。
【００２０】
本発明の照明器具１は、不透光性の器具本体２の下面側の周縁部で囲まれた領域に照明用発光ダイオードであるＬＥＤ素子７が放射する光を所定の配光にて出射する発光部６が取り付けられ、発光部６の出射光が道路の長手方向に配光される照明器具である。図１乃至図５等に示すように、本発明の照明器具１は、下面の略全域が開口するように開口部２Ａを形成し内外両面に防錆効果のある熱伝導性塗装を施した金属製等の熱伝導良好な不透光性の器具本体２と、この器具本体２の開口部２Ａを塞ぐように開口部２Ａの周縁部に組み合わされる合成樹脂製の透光性カバー３を備え、前後方向に長い形態である。
【００２１】
器具本体２は、上壁２Ｔと前記上壁２Ｔから下降する周囲壁２Ｓを有し、周囲壁２Ｓで囲まれた下側に開口する開口部２Ａを形成した内部空間４を有するアルミニウムのダイキャスト製等の熱良導材で前後方向に長い形態に構成され、図示していない支柱等への取り付け部１０を後部に備える。透光性カバー３は、下方に膨らんだ形態をなし、上端周縁部には上方へ突出する環状のフランジ３Ｆが形成されている。本体２の開口部２Ａの周縁部２Ａ１は、透光性カバー３のフランジ３Ｆが嵌り込む環状の溝２Ｍを有し、溝２Ｍの外側を巡るように下方へ突出する環状のフランジ２Ｆを形成している。
【００２２】
図３及び図４に示すように、溝２Ｍにフランジ３Ｆが嵌り込むように、透光性カバー３を本体２の開口部２Ａに組み合わせた状態で、ネジで開口部２Ａの周縁部２Ａ１に適宜固定する。溝２Ｍとフランジ３Ｆのように嵌り合う凹凸構成によって、本体２と透光性カバー３との間が防水構造をなしている。なお、下向き開口の溝２Ｍは、その上底にパッキンを収容すれば、このパッキンがフランジ３Ｆによって圧縮される構成によって、更によい防水効果が得られる。
【００２３】
照明器具１は前後方向に長い形態であり、前後方向に長い開口部２Ａに沿って発光部６を配置している。発光部６は、ＬＥＤ素子７が放射する光を所定の配光にて出射する部分であり、平板状の回路基板５の下側面にＬＥＤ素子７が下方へ僅かに突出状態で配置され、ＬＥＤ素子７の発光を所定配光にて下方へ照射するための配光ユニット８を備える。ＬＥＤ素子７を覆うように回路基板５の下側面に重ね合わせ状態に配置される配光ユニット８を備える。配光ユニット８は、図示のものは、前後方向に長い形態の回路基板５に対して、前後２枚に分割された形態をなすが、前後方向に長い形態の回路基板５に対して、同じく前後方向に長い形態の１枚の配光ユニット８とすることでもよい。
【００２４】
ＬＥＤ素子７は、ＬＥＤチップ（ベアチップ）が２個並列接続されたものが黄色の蛍光剤入り封止材で封止された形態の白色発光素子であるが、これに限らず、１個のＬＥＤチップ（ベアチップ）が黄色の蛍光剤入り封止材で封止された形態、または２個等複数のＬＥＤチップ（ベアチップ）の直列接続されたものが複数並列接続され、これが黄色の蛍光剤入り封止材で封止された形態であってもよい。
【００２５】
図３、図４、図７乃至図９、図１１、図１２、図１４及び図１５に示すように、配光ユニット８は、電気絶縁性を有し透光性合成樹脂製で形成され、回路基板５の下側面に密着状態で取り付けられ、ＬＥＤ素子７が放射する光を所定の配光にて出射する機能を有するために、平板状の板状部８１には、各ＬＥＤ素子７に対応するよう板状部８１から突出する複数の配光部８２を一体形成している。配光部８２は、各ＬＥＤ素子７が個々に収容されるように回路基板５側に開口する凹部８２Ｂを形成したレンズ部を構成する。レンズ部８２は、板状部８１から下方へ向けて所定の曲率にて突出した曲面形状をなす。
【００２６】
内部空間４のうちの前部空間４Ａにおいて、開口部２Ａに沿って平板状のアルミニウム等の金属製放熱板９が配置される。放熱板９は、平板部９Ｈの左右に上方へ向けて略直角に折り曲げた支持辺９Ａを有し、支持辺９Ａの中間部に外方へ略直角に折り曲げた取り付け辺９Ｂを有する。放熱板９の取り付け辺９Ｂが器具本体２の上壁２Ｔから垂下する取り付けボス２Ｂにネジ止めされる。
【００２７】
回路基板５は、放熱板９の平板部９Ｈの下側面に密着状態にネジ止めされる。配光ユニット８は、回路基板５から下方へ突出するＬＥＤ素子７が凹部８２Ｂに収容された状態において、回路基板５の下側面にネジ止めされる。この状態で、ＬＥＤ素子７の発光熱は、回路基板５から放熱板９へ伝達され、器具本体２の内部空間４に放熱されて器具本体２から外方へ放散される経路と、回路基板５から放熱板９へ伝達され、取り付け辺９Ｂから器具本体２へ伝達されて器具本体２から外方へ放散される経路にて放熱される。また、支持辺９Ａの先端（上端）が本体２の上壁２Ｔに当接すれば、支持辺９Ａから器具本体２へ伝達されるため、ＬＥＤ素子７の発熱の放熱効果が向上する。
【００２８】
電気絶縁性の回路基板５は、複数のＬＥＤ素子７を下面に実装するために、ＬＥＤ素子７及び後述の微発光防止用コンデンサ１２への通電部となる導体部分を構成する配線パターン１１が同じ下面にプリント配線として形成されている。この配線パターン１１は、図１０及び図１１において回路基板５の下側面に斜線で示すように、ＬＥＤ素子７の両端子が接続されるパターンと、微発光防止用コンデンサ１２の両端子が接続されるパターンとに形成されており、配線パターン１１の全体が電気絶縁被膜で覆われている。回路基板５は前後方向に長く延びる略矩形状をなし、その後端部にＬＥＤ素子７への直流電力ＤＣを通電するための＋端子部と−端子部を有する接続端子ＣＮを備える。図６等に示すように、実施例では２０個のＬＥＤ素子７をＬＥＤ１〜ＬＥＤ２０で示し、この２０個のＬＥＤ素子７が回路基板５上において一列配置の形態をなすように、配線パターン１１のうちのＬＥＤ素子７用の配線パターンの所定部に接続されて電気的に直列接続回路６Ｌを構成する。
【００２９】
図１３に示す回路において、交流電力が整流されて得られた発光部回路６Ｋに印加される直流電力ＤＣは、その＋側ラインＬ１がスイッチＳＷによってＯＮ−ＯＦＦ制御される構成である。後述の光センサＳＳが照明器具１の周囲の照度を検知し、この光センサＳＳの照度検出動作に基づくスイッチ制御回路ＣＫの動作によって、スイッチＳＷは、日暮れ時から夜明けまでの夜間にＬＥＤ素子７が点灯するようＯＮ状態（実質的通電状態）となり、夜明けから夕暮れ時までの昼間にＬＥＤ素子７が消灯するようＯＦＦ状態（実質的遮断状態）となる動作を行う半導体スイッチで構成され、点灯制御回路ＬＴに含まれる。
【００３０】
これに係る構成について、以下に具体的に記載する。交流電力ＡＣの一方側のラインは大地へ繋がるようにアースＥＨに接続されており、器具本体２は取り付け部１０を取り付けた支柱等を通して大地へ繋がるようにアースＥＨに接続される。点灯制御回路ＬＴは、光センサＳＳが接続されたスイッチ制御回路ＣＫ、半導体スイッチＳＷ及びフィルタ回路等の必要な電気部品回路を含む。点灯制御部ＫＴは、交流電力ＡＣを入力として直流電力ＤＣに変換する４個のダイオードブリッジの整流回路ＳＣ及び前記直流電力ＤＣによって動作するＬＥＤ素子７の点灯制御回路ＬＴを含み、前記直流電力ＤＣの＋側ラインＬ１をＯＮ−ＯＦＦ制御する半導体で構成されたスイッチＳＷ（半導体スイッチＳＷという）のＯＮ状態において、点灯制御部ＫＴの出力である直流電力ＤＣが、接続端子ＣＮから直列接続回路６Ｌの両端に印加されることにより、ＬＥＤ素子７が正規の発光状態となる。この場合、スイッチＳＷのＯＦＦ状態において、配線パターン１１と電気的絶縁間隔を存する電気的導電部分である器具本体２や放熱板９との間に浮遊容量ＣＦが形成され、この浮遊容量ＣＦを通してＬＥＤ素子７に流れる漏れ電流が生じ、この漏れ電流によりＬＥＤ素子７が微発光状態となることがある。
【００３１】
本発明は、このように、浮遊容量ＣＦによってＬＥＤ素子７が微発光状態となることを防止するために、直列接続回路６ＬのＬＥＤ素子７に微発光防止用コンデンサ１２が並列接続されて発光部回路６Ｋを構成している。この場合、発光部回路６Ｋは、それぞれ２０個のＬＥＤ素子７毎に１個の微発光防止用コンデンサ１２が並列接続される構成でもよいが、その場合は、微発光防止用コンデンサ１２の数がＬＥＤ素子７の数だけ必要となるため、その解決手段として、本発明では、ＬＥＤ素子７の所定の複数が直列接続された回路に、微発光防止用コンデンサ１２の一つが並列接続された回路を単位回路ＣＴとし、単位回路ＣＴの所定数が直列接続されて発光部回路６Ｋを構成する。このような微発光防止用コンデンサ１２は、配線パターン１１のうちの微発光防止用コンデンサ１２用の配線パターン部の所定部に接続される。
【００３２】
図６、図１０乃至図１２に示すように、実施例では、２０個のＬＥＤ素子７としてＬＥＤ１〜ＬＥＤ２０を示しており、２個直列接続されたＬＥＤ素子７に１個の微発光防止用コンデンサ１２が並列接続される構成としている。この場合、微発光防止用コンデンサ１２としてＣ１〜Ｃ１０で示す１０個の微発光防止用コンデンサを備える。即ち、図イに示すように、ＬＥＤ１とＬＥＤ２の直列回路に１個の微発光防止用コンデンサＣ１が並列接続された単位回路ＣＴ、ＬＥＤ３とＬＥＤ４の直列回路に１個の微発光防止用コンデンサＣ２が並列接続された単位回路ＣＴ、ＬＥＤ５とＬＥＤ６の直列回路に１個の微発光防止用コンデンサＣ３が並列接続された単位回路ＣＴ、ＬＥＤ７とＬＥＤ８の直列回路に１個の微発光防止用コンデンサＣ４が並列接続された単位回路ＣＴ、ＬＥＤ９とＬＥＤ１０の直列回路に１個の微発光防止用コンデンサＣ５が並列接続された単位回路ＣＴ、ＬＥＤ１１とＬＥＤ１２の直列回路に１個の微発光防止用コンデンサＣ６が並列接続された単位回路ＣＴ、ＬＥＤ１３とＬＥＤ１４の直列回路に１個の微発光防止用コンデンサＣ７が並列接続された単位回路ＣＴ、ＬＥＤ１５とＬＥＤ１６の直列回路に１個の微発光防止用コンデンサＣ８が並列接続された単位回路ＣＴ、ＬＥＤ１７とＬＥＤ１８の直列回路に１個の微発光防止用コンデンサＣ９が並列接続された単位回路ＣＴ、ＬＥＤ１９とＬＥＤ２０の直列回路に１個の微発光防止用コンデンサＣ１０が並列接続された単位回路ＣＴが形成され、これら単位回路ＣＴが順次直列接続されて発光部回路６Ｋを構成する。これから明らかなように、照明用発光ダイオード７の所定複数の直列回路に浮遊容量ＣＦによって照明用発光ダイオード７が微発光状態となることを防止する微発光防止用コンデンサ１２が並列接続された単位回路ＣＴと、単位回路ＣＴの複数が直列接続されて構成された発光部回路６とを有する照明装置において、単位回路ＣＴごとに照明用発光ダイオード７と微発光防止用コンデンサ１２が直線状配置をなす関係で以って複数の単位回路ＣＴが直線状に配置され、照明用発光ダイオード７と微発光防止用コンデンサ１２が回路基板５の同じ面に突出状態に配置されている。
【００３３】
これら複数のＬＥＤ素子７と複数の微発光防止用コンデンサ１２は、配線パターン１１の所定部に電気的に接続されて、回路基板５の同じ下側面に配置される。この場合、各ＬＥＤ素子７と各微発光防止用コンデンサ１２は、回路基板５に取り付けられた状態で、回路基板５から下方へ突出状態で以って、所定の列状態の配置である。この列配置は、一列配置の場合と複数列配置の場合のいずれにおいても、各ＬＥＤ素子７と各微発光防止用コンデンサ１２の回路基板５への配列と、配光ユニット８の配光部８２による配光特性、更には後述の通気溝１５の形成等を考慮すれば、各列が前後方向に延びる直線状の一列配置状態をなす状態が好ましい。発光部回路６Ｋを構成する２０個のＬＥＤ素子７と１０個の微発光防止用コンデンサ１２の配置は、実施例では、照明装置としての高い照度を得るために、図６、図１０乃至図１２に示すように、発光部回路６Ｋは、回路基板５の接続端子ＣＮの反対側部分（前端部）において、前記一列の中間部に折り返し部１３を形成して前後方向に延びる直線状の左右並行２列の配置をなし、発光部回路６Ｋの＋側は配線パターン１１によって接続端子ＣＮの＋端子部と接続され、発光部回路６Ｋの−側は配線パターン１１によって接続端子ＣＮの−端子部と接続される。図１２には、ＬＥＤ素子７であるＬＥＤ１〜ＬＥＤ２０をＬＥＤとして示し、微発光防止用コンデンサ１２をＣ１〜Ｃ１０で示している。
【００３４】
なお、小型の照明装置としての所期の照度を得るためには、発光部回路６Ｋの複数のＬＥＤ素子７と複数の微発光防止用コンデンサ１２は、上記のような直線状の左右並行２列の配置ではなく、例えば、ＬＥＤ１〜ＬＥＤ８と、微発光防止用コンデンサＣ１〜〜Ｃ４で構成される一列の直線状配置とする発光部回路６Ｋ形態とし、この発光部回路６Ｋの＋側は配線パターン１１によって接続端子ＣＮの＋端子部と接続され、発光部回路６Ｋの−側は配線パターン１１によって接続端子ＣＮの−端子部と接続される構成とすることができる。
【００３５】
上記の構成において、スイッチＳＷのＯＮ状態において、交流電力ＡＣが整流されて得られた直流電力ＤＣがこの発光部回路６Ｋの両端に印加され、直列接続回路６ＬのＬＥＤ素子７が正規の発光状態となる構成である。そして、スイッチＳＷのＯＦＦ状態において、上記のように発生する漏れ電流は、各単位回路ＣＴのＬＥＤ素子７と並列の微発光防止用コンデンサ１２を流れるため、単位回路ＣＴのＬＥＤ素子７へは流れず、このためＬＥＤ素子７の微発光は防止される。
【００３６】
ＬＥＤ素子７と微発光防止用コンデンサ１２は、回路基板５に取り付けられた状態で、上記のように回路基板５から僅かに下方へ突出する。回路基板５の下側面には配光ユニット８が当接状態に配置されるが、ＬＥＤ素子７は凹部８２Ｂに収容されるため、回路基板５の下側面への配光ユニット８の取付けにＬＥＤ素子７が邪魔になることはない。しかし、そのままでは回路基板５から下方へ突出する微発光防止用コンデンサ１２は、配光ユニット８に衝突し、回路基板５の下側面への配光ユニット８の取り付けの邪魔になる。これを防止するためには、配光ユニット８に微発光防止用コンデンサ１２が入り込む逃げ孔や窪み等の逃げ部分を形成する必要がある。本発明では、そのような逃げ部分を配光ユニット８に特別に形成することなく、配光ユニット８を回路基板５の下側面に取り付けることができる構成とする。
【００３７】
即ち、本発明では、複数のＬＥＤ素子７と複数の微発光防止用コンデンサ１２は、図１０及び図１１に示すように、それぞれ配線パターン１１間の電気絶縁部を跨ぐように配線パターン１１の所定部に電気的に接続されて回路基板５の同じ面に突出して一列状態の配置をなす。また、各ＬＥＤ素子７に対応する配光部８２を有し回路基板５の裏側面（回路基板５のＬＥＤ素子７側の面）に重ね合わせ状態に配置される配光ユニット８を設けている。そして、配光部８２は回路基板５に対向する面にそれぞれのＬＥＤ素子７が収容される凹部８２Ｂを形成したレンズ部を構成し、配光ユニット８は、凹部８２Ｂのそれぞれに連通し両端部が配光ユニット８の外側端部に開放する一連の通気溝１５を回路基板５に対向する裏側面に有し、通気溝１５に微発光防止用コンデンサ１２が配置される構成とする。通気溝１５は、形成し易いように回路基板５に向けて開放した溝である。
【００３８】
その一つの形態を図７乃至図１２に示しており、発光部回路６Ｋの複数のＬＥＤ素子７と複数の微発光防止用コンデンサ１２が、上記のような直線状の左右並行２列の配置の場合は、この直線状の左右並行２列に対応して、配光ユニット８には、各ＬＥＤ素子７に対応して左右方向に長い形態の配光部８２が直線状の左右並行２列の配置に形成され、配光部８２の裏側には各ＬＥＤ素子７が個々に収容される凹部８２Ｂを形成している。そして、配光ユニット８の裏側には、前記直線状の左右並行２列の各列に対応する凹部８Ｂのそれぞれに連通し、前後両端部が配光ユニット８の外側に開放する一連の直線状の通気溝１５を形成しており、この通気溝１５に各微発光防止用コンデンサ１２が収容配置される構成である。
【００３９】
また、上記のように、ＬＥＤ１〜ＬＥＤ８と、微発光防止用コンデンサＣ１〜Ｃ４で以って一列の直線状配置とする発光部回路６Ｋの形態を有する照明装置である場合も、同様に、配光ユニット８には、各ＬＥＤ素子７に対応して配光部８２が一列の直線状配置に形成され、配光ユニット８の裏側には、この一列の直線状配置に対応する凹部８Ｂのそれぞれに連通し、前後両端部が配光ユニット８の外側に開放する一連の直線状の通気溝１５を形成し、この通気溝１５に各微発光防止用コンデンサ１２が収容配置される構成とする。
【００４０】
図９、図１４及び図１５に示すように、各配光部８２の裏側には窪み１５Ｍを形成している。この窪み１５Ｍは、平面視で凹部８Ｂを包含するように凹部８Ｂよりも大きい面積を有し、回路基板５に密着状態で配光ユニット８を取り付けたとき、ＬＥＤ素子７に配光ユニット８が当接しないようにするための当接回避部である。窪み１５Ｍには凹部８２Ｂの開口部全周が開口した状態で窪み１５Ｍと凹部８２Ｂが連通状態であり、通気溝１５は窪み１５Ｍの前後端部で連通状態である。また、凹部８２Ｂの深さよりも通気溝１５及び窪み１５Ｍの深さが十分浅い。また、図１４及び図１５に示すように、通気溝１５及び窪み１５Ｍは配光部８２から外れた位置にあり、ＬＥＤ素子７の発光の有効照射範囲θに通気溝１５及び窪み１５Ｍが掛からないため、通気溝１５及び窪み１５Ｍの側壁によってＬＥＤ素子７の発光の配光特性が乱されることはない。このため、配光ユニット８を取り付けた回路基板５が所定の状態に取り付けられた照明器具１において、通気溝１５及び窪み１５Ｍは、ＬＥＤ素子７の照射の邪魔にならず、且つＬＥＤ素子７の発光に伴う発熱が通気溝１５を通して配光ユニット８の端部から放出され、ＬＥＤ素子７の劣化防止等の効果を奏することができる。
【００４１】
上記のように、通気溝１５は窪み１５Ｍの前後端部で連通状態であるため、窪み１５Ｍは通気溝１５の一部が拡大形成された形態とみなされ、通気溝１５は窪み１５Ｍを含み、前後方向に直線状の一連の通気溝１５を形成することとなる。
【００４２】
凹部８２ＢがＬＥＤ素子７を収容できる大きさである場合は、回路基板５に密着状態で配光ユニット８を取り付けたとき、ＬＥＤ素子７は配光ユニット８に当接することなく凹部８２Ｂに収容できるため、その場合は窪み１５Ｍを形成する必要はなくなる。この場合、通気溝１５はその前後端部が凹部８２Ｂの前後端部で連通し、前後方向に直線状の一連の通気溝１５を形成することとなる。この場合も上記同様に、配光ユニット８を取り付けた回路基板５が所定の状態に取り付けられた照明器具１において、通気溝１５は配光部８２から外れた位置にあり、ＬＥＤ素子７の発光の有効照射範囲θに通気溝１５の側壁が掛からず、有効照射範囲θよりも通気溝１５が外れるため、通気溝１５によってＬＥＤ素子７の発光の配光特性が乱されることはない。また、図１４及び図１５に示すように、ＬＥＤ素子７の発光の有効照射範囲θに通気溝１５Ｍの側壁が掛からない構成である。これによって、有効照射範囲θよりも通気溝１５Ｍの側壁が外れるため、通気溝１５ＭがＬＥＤ素子７の発光の邪魔にならず所期の照射効果が得られ、且つＬＥＤ素子７の発光に伴う発熱が通気溝１５を通して配光ユニット８の端部から放出され、ＬＥＤ素子７の劣化防止等の効果を奏することができる。
【００４３】
上記の構成によって、配光ユニット８は回路基板５の下側面に密着状態で取り付けられた状態で、照明用発光ダイオード７は配光部８２の裏側の凹部８２Ｂに収容され、微発光防止用コンデンサ１２は配光ユニット８の裏側の通気溝１５に収容される状態に、照明用発光ダイオード７の発光が透過する電気絶縁性の配光ユニットで覆われるため、通電部が露出することなく電気的な感電などに対し安全上の効果もある。
【００４４】
図示の形態は、発光部回路６Ｋの複数のＬＥＤ素子７と複数の微発光防止用コンデンサ１２が、前後方向に延びる直線状の左右並行２列配置において、ＬＥＤ１〜ＬＥＤ１０と微発光防止用コンデンサＣ１〜Ｃ４が、回路基板５の一方側である右側位置に直線状に一列配置され、この列に沿って通気溝１５が前後方向に直線状に形成されている。また、ＬＥＤ１１〜ＬＥＤ２０と微発光防止用コンデンサＣ６〜Ｃ９が、回路基板５の他方側である左側位置に前後方向に延びる直線状に一列配置され、この列に沿って通気溝１５が前後方向に直線状に形成されている。
【００４５】
なお、実施例では、微発光防止用コンデンサＣ５は、前後方向に延びる前記直線状の左右並行２列の間において、回路基板５の前端側となる接続端子ＣＮの反対側に配置され、微発光防止用コンデンサＣ１０は、前記直線状の左右並行２列の間において、回路基板５の後端側となる接続端子ＣＮ側に配置される構成としているため、この微発光防止用コンデンサＣ５及びＣ１０がそれぞれ収容される通気溝１５Ａが、通気溝１５と同様に、通気溝１５に略直角に交差する状態で、配光ユニット８の裏側面に形成されている。これは、回路基板５及び配光ユニット８を小型化するための手段であって、本発明の趣旨を変更するものではない。
【００４６】
これに対して、たとえば、微発光防止用コンデンサＣ５をＬＥＤ１０の前方位置に配置し、微発光防止用コンデンサＣ１０をＬＥＤ２０の後方位置に配置する関係のように、発光部回路６ＫのすべてのＬＥＤ素子７と微発光防止用コンデンサ１２を前後方向に延びる直線状の左右並行２列配置とすれば、通気溝１５Ａを形成することなく、すべてのＬＥＤ素子７と微発光防止用コンデンサ１２が、それぞれ左右の前後方向に延びる通気溝１５Ａに収容配置できることとなる。
【００４７】
このような構成によって、ＬＥＤ素子７の発熱は、通気溝１５から配光ユニット８の外側に放出されるため、ＬＥＤ素子７の劣化や発光効率の低下を更に抑制できる効果がある。更に、回路基板５にＬＥＤ素子７と一列配置された微発光防止用コンデンサ１２は、通気溝１５に配置されるため、回路基板５から突出する微発光防止用コンデンサ１２の逃げ部分を配光ユニット８に特別に形成する必要がない効果もある。
【００４８】
また、このように発光部回路６Ｋが、中間部１３に折り返し部を形成して直線状の並行２列配置をなすことにより、照度アップを図る照明装置とする場合も、上記同様に、ＬＥＤ素子７の発熱の通気溝１５からの放出により、ＬＥＤ素子７の劣化抑制や発光効率の低下の抑制効果と、更に、回路基板５にＬＥＤ素子７と一列配置された微発光防止用コンデンサ１２の通気溝への配置効果が達成できる。
【００４９】
上記のように、本発明の照明装置は、
照明用発光ダイオード７が浮遊容量ＣＦによって微発光することを照明用発光ダイオード７と微発光防止用コンデンサ１２の並列接続によって防止する照明装置において、
照明用発光ダイオード７の複数が直列接続された回路に微発光防止用コンデンサ１２の一つが並列接続された回路を単位回路ＣＴとし、単位回路ＣＴの所定数が直列接続されて発光部回路６Ｋが構成され、交流電力ＡＣが整流されて得られる発光部回路６Ｋに印加される直流電力ＤＣは、その＋側ラインがスイッチＳＷによってＯＮ−ＯＦＦ制御される構成であり、スイッチＳＷのＯＮ状態によって、照明用発光ダイオード７が正規の発光状態となる構成である。
【００５０】
図示の形態では、２個直列接続されたＬＥＤ素子７に１個の微発光防止用コンデンサ１２が並列接続される構成としているが、コンパクト化が達成できる程度の所定の大きさを有する回路基板５に、十分な照射量が得られるＬＥＤ素子７の数が実装できること、微発光防止用コンデンサ１２は浮遊容量ＣＦによるＬＥＤ素子７の微発光防止効果が得られる性能を有すること、単位回路ＣＴを構成するＬＥＤ素子７と微発光防止用コンデンサ１２が直列配置できること、更に、微発光防止用コンデンサ１２は直線状の通気溝１５に収容可能な大きさにできること、等を考慮して、単位回路ＣＴを構成する直列接続されるＬＥＤ素子７の数を定めればよい。このため、単位回路ＣＴを構成する直列接続されるＬＥＤ素子７は、２個ではなく３個〜５個であってもよく、その場合は、３個〜５個直列接続されたＬＥＤ素子７に、１個の微発光防止用コンデンサ１２が並列接続されて単位回路ＣＴを構成すればよい。
【００５１】
また、本発明の照明装置は、上記のように、複数が直列接続された照明用発光ダイオード７と、通電部となる導体部分を構成する配線パターン１１を備えた回路基板５と、配線パターン１１と電気的絶縁間隔を存する電気的導電部分との間に形成される浮遊容量ＣＦと、浮遊容量ＣＦによって照明用発光ダイオード７が微発光状態となることを防止する微発光防止用コンデンサ１２とを有する照明装置において、照明用発光ダイオード７の所期の配光特性を得るために、照明用発光ダイオード７に対応する配光部８２を有し回路基板５に重ね合わせ状態に配置される配光ユニット８を備える構成とする。この場合、照明用発光ダイオード７の放熱効果の向上と、回路基板５から突出する微発光防止用コンデンサ１２の配光ユニット８との衝突回避の効果的な技術を提供する。
【００５２】
このため、照明用発光ダイオード７の一つに微発光防止用コンデンサ１２の一つが並列接続されて単位回路ＣＴとし、または実施形態のように照明用発光ダイオード７の所定複数に微発光防止用コンデンサ１２の一つが並列接続されて単位回路ＣＴを構成することができる。何れの場合も、この単位回路ＣＴの複数が直列接続されて発光部回路６Ｋを構成し、発光部回路６Ｋは、単位回路ＣＴごとに照明用発光ダイオード７と微発光防止用コンデンサ１２が直線状配置をなす関係で以って複数の単位回路ＣＴが直線状に配置されて配線パターン１１の所定部に電気的に接続されて回路基板５の同じ面に突出した直線状の並行２列の配置をなし、前記並行２列の前記照明用発光ダイオード７に対応する配光部８２を有し回路基板５に重ね合わせ状態に配置される配光ユニット８を備える。配光部８２は、回路基板５に対向する面に前記並行２列のそれぞれの照明用発光ダイオード７が収容される凹部８Ｂを形成したレンズ部を構成し、配光ユニット８は、前記並行２列の列ごとに凹部８Ｂのそれぞれに連通し両端部が配光ユニット８の外側に開放する一連の通気溝１５を裏側面に有し、前記並行２列の列ごとの通気溝１５に前記並行２列の各列の微発光防止用コンデンサ１２がそれぞれ配置された構成とする。
【００５３】
上記の形態の発光部回路６Ｋは、図１０及び図１１に示すように、単位回路ＣＴの照明用発光ダイオード７と微発光防止用コンデンサ１２が直線状に並ぶ関係にて、全体として直線状の並行２列の配置をなす。これはＬＥＤ７による照度が高い照明器具１を得る場合に適する。一方、それよりも照度が低くてもよい小型の照明器具１の場合は、単位回路ＣＴごとに照明用発光ダイオード７と微発光防止用コンデンサ１２が直線状の配置で以って、発光部回路６Ｋは全体として、照明用発光ダイオード７と微発光防止用コンデンサ１２が直線状の１列配置となる形態とすることもできる。この場合、通気溝１５は１列の直線状とすることができるため、照明用発光ダイオード７の放熱効果の向上と共に、回路基板５から突出する微発光防止用コンデンサ１２の配光ユニット８への当接回避部となる通気溝１５への微発光防止用コンデンサ１２の収容もし易く、回路基板５から突出する微発光防止用コンデンサ１２の逃げ部分を配光ユニット８に特別に形成する必要もなくなる。
【００５４】
このような照明装置は、照明用発光ダイオード７の発光が下方を照射するために、上記のように、金属製の器具本体２に組み込まれ、器具本体２の下側面が照明用発光ダイオード７の発光が透過する材質で構成されたカバー３で覆われた照明器具１とする。
【００５５】
点灯制御部ＫＴは、制御部基板ＫＴＰに必要な電子部品でもって回路構成された状態で、内部空間４のうちの前部空間４Ａの後方に位置する後部空間４Ｂに、電気絶縁シート２１でカバーされた状態で配置され、その下側を器具本体２にネジ止めされるカバー板２０によって覆われる。照明器具１に対して外部電源である交流電力ＡＣから電力供給を行うために、照明器具１へ供給される外部電源ライン１６は、器具本体２の後壁２Ｒに形成した貫通孔に挿入される絶縁ゴム製のブッシング１７を貫通し、その先端に取り付けた電源コネクタ１８が、後部空間４Ｂに配置された電源端子に電気的に接続される。
【００５６】
照明器具１は、その周囲の照度を検知して日暮れ時から夜明けまでの夜間にＬＥＤ素子７が点灯するようにスイッチ制御回路ＣＫに電気的に接続された光センサＳＳを備える。点灯制御部ＫＴは、スイッチ制御回路ＣＫ、半導体スイッチＳＷ及びフィルタ回路等の必要な電気部品を含む点灯制御回路ＬＴと、整流回路ＳＣとを取り付けた制御部基板ＫＴＰと、光センサＳＳ及びその他の必要な電子部品が取り付けられて制御部基板ＫＴＰに結合したセンサ基板ＳＳＰとを有し、制御部基板ＫＴＰとセンサ基板ＳＳＰとは電気的に接続されている。光センサＳＳは、センサ基板ＳＳＰに取り付けたセンサホルダＳＳＨ内に収容されており、照明器具１の正規の組み立て状態において、センサホルダＳＳＨは、本体２の後壁２Ｒに形成した採光窓（採光孔ともいう）に保持された透光性部材１９と組み合わされ、その状態で、光センサＳＳは、透光性部材１９を通して照明器具１の後方における照明器具１の周囲の照度を検知する。この構成によって、光センサＳＳは、余計な光を受光して誤動作することなく、照明器具１の周囲の正規の照度を検知する。光センサＳＳの検知動作は、日没による低下した照度を検知してスイッチ制御回路ＣＫの動作によりスイッチＳＷをＯＮさせ、ＬＥＤ素子７を発光させる。また、日の出による上昇した照度を検知してスイッチ制御回路ＣＫの動作によりスイッチＳＷをＯＦＦさせ、ＬＥＤ素子７を消灯させるように動作する。
【００５７】
回路基板５が放熱板９の下側面に取り付けられた状態で、ＬＥＤ素子７が発する光は、配光ユニット８を通して左右方向へ所定角度範囲で広がる配光特性を有する。透光性カバー３は、ＬＥＤ素子７が発する光を効果的に下方へ透過するために、略均一な厚さに形成されるが、器具本体２への取り付け強度を維持するために、フランジ３Ｆを含む透光性カバー３の取り付け部分ＦＳが、他の部分よりも厚肉に形成されている。ＬＥＤ素子７が発する光がこの厚肉の取り付け部分ＦＳを透過する場合は、その部分で生じる光の屈折によって所期の配光特性が得られず、照明器具１の下方への光量が減少し、照明器具１の下方領域である路面等の照明効果が低下することとなる。
【００５８】
このため、所期の配光特性で以って所期の照明効果を得るために、配光部８２から照射されるＬＥＤ素子７の発光が透光性カバー３の厚肉となる取り付け部分ＦＳよりも下方位置となるように、放熱板９の器具本体２へ取り付けを考慮して、回路基板５が放熱板９の下側面に取り付けられている。これによって、ＬＥＤ素子７が発する光の有効照射範囲ＳＨである光の広がり範囲が、例えば１６０度程度である場合、ＬＥＤ素子７が発する光が厚肉部分である取り付け部分ＦＳを透過することなく、透光性カバー３の正規の部分を透過することとなり、所期の配光特性を有する照明器具１とすることができる。なお、厚肉となる取り付け部分ＦＳは、本体２の開口部２Ａの周縁部２Ａ１の下方へ突出する環状のフランジ２Ｆよりも下方位置であるため、ＬＥＤ素子７の発光が配光部８２から出射される有効照射範囲ＳＨが取り付け部分ＦＳよりも下方位置となる状態であれば、配光部８２から照射されるＬＥＤ素子７の発光がフランジ２Ｆによって遮られることはない。
【符号の説明】
【００５９】
１          照明器具
２          器具本体
３          透光性カバー
４          内部空間
５          回路基板
６          発光部
６Ｋ        発光部回路
６Ｌ        直列接続回路
７          照明用発光ダイオード（ＬＥＤ素子：ＬＥＤ１〜ＬＥＤ２０）
８          配光ユニット
８Ｂ        凹部
８１        板状部
８２        配光部
９          放熱板
１０        取り付け部
１１        配線パターン
１２        微発光防止用コンデンサ（Ｃ１〜Ｃ１０）
１３        折り返し部
１５        通気溝
１６        外部電源ライン
ＡＣ        交流電力
ＣＮ        接続端子
ＣＴ        単位回路
ＫＴ        点灯制御部
ＳＨ        有効照射範囲
ＳＳ        光センサ
ＳＷ        半導体スイッチ
【図１】
2019220283.tif 000003
【図２】
2019220283.tif 000004
【図３】
2019220283.tif 000005
【図４】
2019220283.tif 000006
【図５】
2019220283.tif 000007
【図６】
2019220283.tif 000008
【図７】
2019220283.tif 000009
【図８】
2019220283.tif 000010
【図９】
2019220283.tif 000011
【図１０】
2019220283.tif 000012
【図１１】
2019220283.tif 000013
【図１２】
2019220283.tif 000014
【図１３】
2019220283.tif 000015
【図１４】
2019220283.tif 000016
【図１５】
2019220283.tif 000017
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
照明用発光ダイオードの一つまたは所定複数の直列回路に前記照明用発光ダイオードの微発光防止用コンデンサが並列接続された単位回路の複数が直列接続され、
前記照明用発光ダイオードと前記微発光防止用コンデンサは、前記単位回路ごとに前後方向に直線状配置をなす関係で以って前記単位回路の複数が前後方向に直線状配置にて前記回路基板の下面に突出状態で前記回路基板に形成された配線パターンの所定部に電気的に接続され、
前記照明用発光ダイオードの個々に対応する配光部を有し前記回路基板に重ね合わせ状態に配置される配光ユニットを有し、
前記配光部は、前記照明用発光ダイオードに対応する凹部を前記回路基板と対向する面に形成したレンズ部を構成した、
照明装置を備え、
前記配光ユニットは、電気絶縁性であり、それぞれの前記配光部の前記凹部には、平面視で前記凹部を包含するように前記凹部よりも大きい面積を有して前記凹部の開口部全周が連通する窪みを有し、前記窪みの前後端部で連通し前後方向に直線状に延び前後端部が前記配光ユニットの外側に開放する一連の通気溝を前記回路基板に対向する面に有し、
前記通気溝及び前記窪みの深さは、前記通気溝及び前記窪みの側壁によって前記照明用発光ダイオードの発光の配光特性が乱されないよう前記凹部の深さよりも浅く、且つ前記窪みの深さは前記回路基板の下面に突出状態の前記照明用発光ダイオードよりも深く、
前記回路基板に配光ユニットが重ね合わせ状態において、前記照明用発光ダイオードが前記配光部の前記凹部と対応し前記微発光防止用コンデンサが前記通気溝に配置される、
ことを特徴とする前後方向に長い形態の照明器具。
【請求項２】
前記通気溝及び前記窪みの深さは、前記照明用発光ダイオードの発光の有効照射範囲に掛からず前記通気溝及び前記窪みの側壁によって前記照明用発光ダイオードの発光の配光特性が乱されない深さである、
ことを特徴とする請求項１に記載の照明器具。
【請求項３】
前記配線パターンは前記回路基板の下面に形成され、前記単位回路においては、前記照明用発光ダイオードの外側位置で且つ前記照明用発光ダイオードが電気絶縁部を跨ぐように接続される配線パターンの外側に、前記微発光防止用コンデンサが電気絶縁部を跨ぐように接続される配線パターンを有し、前記配線パターンは全体として前記回路基板の後端側に設けた接続端子の＋端子部と−端子部に接続される部分から前方へ向かって前後方向に長く略矩形状に形成される、
ことを特徴とする請求項１または２に記載の照明器具。
【手続補正２】
【補正対象書類名】明細書
【補正対象項目名】０００８
【補正方法】変更
【補正の内容】
【０００８】
第１の本発明は、
照明用発光ダイオードの一つまたは所定複数の直列回路に前記照明用発光ダイオードの微発光防止用コンデンサが並列接続された単位回路の複数が直列接続され、
前記照明用発光ダイオードと前記微発光防止用コンデンサは、前記単位回路ごとに前後方向に直線状配置をなす関係で以って前記単位回路の複数が前後方向に直線状配置にて前記回路基板の下面に突出状態で前記回路基板に形成された配線パターンの所定部に電気的に接続され、
前記照明用発光ダイオードの個々に対応する配光部を有し前記回路基板に重ね合わせ状態に配置される配光ユニットを有し、
前記配光部は、前記照明用発光ダイオードに対応する凹部を前記回路基板と対向する面に形成したレンズ部を構成した、
照明装置を備え、
前記配光ユニットは、電気絶縁性であり、それぞれの前記配光部の前記凹部には、平面視で前記凹部を包含するように前記凹部よりも大きい面積を有して前記凹部の開口部全周が連通する窪みを有し、前記窪みの前後端部で連通し前後方向に直線状に延び前後端部が前記配光ユニットの外側に開放する一連の通気溝を前記回路基板に対向する面に有し、
前記通気溝及び前記窪みの深さは、前記通気溝及び前記窪みの側壁によって前記照明用発光ダイオードの発光の配光特性が乱されないよう前記凹部の深さよりも浅く、且つ前記窪みの深さは前記回路基板の下面に突出状態の前記照明用発光ダイオードよりも深く、
前記回路基板に配光ユニットが重ね合わせ状態において、前記照明用発光ダイオードが前記配光部の前記凹部と対応し前記微発光防止用コンデンサが前記通気溝に配置される、
ことを特徴とする前後方向に長い形態の照明器具である。
【手続補正３】
【補正対象書類名】明細書
【補正対象項目名】０００９
【補正方法】変更
【補正の内容】
【０００９】
第２の本発明は、上記第１の本発明において、
前記通気溝及び前記窪みの深さは、前記照明用発光ダイオードの発光の有効照射範囲に掛からず前記通気溝及び前記窪みの側壁によって前記照明用発光ダイオードの発光の配光特性が乱されない深さである、
ことを特徴とする照明器具である。
【手続補正４】
【補正対象書類名】明細書
【補正対象項目名】００１０
【補正方法】変更
【補正の内容】
【００１０】
第３の本発明は、上記第１または第２の本発明において、
前記配線パターンは前記回路基板の下面に形成され、前記単位回路においては、前記照明用発光ダイオードの外側位置で且つ前記照明用発光ダイオードが電気絶縁部を跨ぐように接続される配線パターンの外側に、前記微発光防止用コンデンサが電気絶縁部を跨ぐように接続される配線パターンを有し、前記配線パターンは全体として前記回路基板の後端側に設けた接続端子の＋端子部と−端子部に接続される部分から前方へ向かって前後方向に長く略矩形状に形成される、
ことを特徴とする照明器具である。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１６
【補正方法】変更
【補正の内容】
【００１６】
本発明は、
請求項１により、微発光防止用コンデンサが前後方向に直線状に形成した通気溝に配置される。
即ち、回路基板に配光ユニットが重ね合わせ状態において、照明用発光ダイオードが配光部の凹部と対応し微発光防止用コンデンサが通気溝に配置される。
回路基板の下側面には配光ユニットが当接状態に配置されるが、回路基板から下方へ突出する微発光防止用コンデンサは、配光ユニットに衝突し、回路基板の下側面への配光ユニットの取り付けの邪魔になり、これを防止するためには、配光ユニットに微発光防止用コンデンサが入り込む逃げ孔や窪み等の逃げ部分を形成する必要があるが、本発明では、そのような逃げ部分を配光ユニットに特別に形成することなく、配光ユニットを回路基板の下側面に取り付けることができる。
また、配光部の凹部に対する窪みによって、組み立て時の照明用発光ダイオードと配光ユニットとの当接防止ができると共に、窪みによって通気溝の一部が拡大された通気溝形態となり、照明用発光ダイオードの発熱の放出効果が得られる。
また、照明用発光ダイオードと微発光防止用コンデンサが電気絶縁性の配光ユニットで覆われるため、通電部の露出が無く電気的にも安全である。
請求項２により、請求項１の効果に加えて、照明用発光ダイオードの発熱の放出を考慮すると共に、照明用発光ダイオードの発光の配光特性が乱されないための有効照射範囲との関係を考慮した通気溝の形成ができる。
請求項３により、照明用発光ダイオードの放熱効果を得ることと、微発光防止用コンデンサの配置のし易さが達成でき、単位回路ごとに形成される配線パターンの連続形態で以って、全体の配線パターンを前後方向に長い略矩形状の回路基板面に前後方向に長い略矩形状に形成できることとなる。
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
照明用発光ダイオードの一つまたは所定複数の直列回路に前記照明用発光ダイオードの微発光防止用コンデンサが並列接続された単位回路の複数が直列接続され、
前記照明用発光ダイオードと前記微発光防止用コンデンサは、前記単位回路ごとに前後方向に直線状配置をなす関係で以って前記単位回路の複数が前後方向に直線状配置にて回路基板の下面に突出状態で前記回路基板に形成された配線パターンの所定部に電気的に接続され、
前記照明用発光ダイオードの個々に対応する配光部を有し前記回路基板に重ね合わせ状態に配置される配光ユニットを有し、
前記配光部は、前記照明用発光ダイオードに対応する凹部を前記回路基板と対向する面に形成したレンズ部を構成した、
照明装置を備え、
前記配光ユニットは、電気絶縁性であり、それぞれの前記配光部の前記凹部には、平面視で前記凹部を包含するように前記凹部よりも大きい面積を有して前記凹部の開口部全周が連通する窪みを有し、前記窪みの前後端部で連通し前後方向に直線状に延び前後端部が前記配光ユニットの外側に開放する一連の通気溝を前記回路基板に対向する面に有し、
前記通気溝及び前記窪みの深さは、前記通気溝及び前記窪みの側壁によって前記照明用発光ダイオードの発光の配光特性が乱されないよう前記凹部の深さよりも浅く、且つ前記窪みの深さは前記回路基板の下面に突出状態の前記照明用発光ダイオードよりも深く、
前記回路基板に配光ユニットが重ね合わせ状態において、前記照明用発光ダイオードが前記配光部の前記凹部と対応し前記微発光防止用コンデンサが前記通気溝に配置される、
ことを特徴とする前後方向に長い形態の照明器具。
【請求項２】
前記通気溝及び前記窪みの深さは、前記照明用発光ダイオードの発光の有効照射範囲に掛からず前記通気溝及び前記窪みの側壁によって前記照明用発光ダイオードの発光の配光特性が乱されない深さである、
ことを特徴とする請求項１に記載の照明器具。
【請求項３】
前記配線パターンは前記回路基板の下面に形成され、前記単位回路においては、前記照明用発光ダイオードの外側位置で且つ前記照明用発光ダイオードが電気絶縁部を跨ぐように接続される配線パターンの外側に、前記微発光防止用コンデンサが電気絶縁部を跨ぐように接続される配線パターンを有し、前記配線パターンは全体として前記回路基板の後端側に設けた接続端子の＋端子部と−端子部に接続される部分から前方へ向かって前後方向に長く略矩形状に形成される、
ことを特徴とする請求項１または２に記載の照明器具。
【手続補正２】
【補正対象書類名】明細書
【補正対象項目名】０００８
【補正方法】変更
【補正の内容】
【０００８】
第１の本発明は、
照明用発光ダイオードの一つまたは所定複数の直列回路に前記照明用発光ダイオードの微発光防止用コンデンサが並列接続された単位回路の複数が直列接続され、
前記照明用発光ダイオードと前記微発光防止用コンデンサは、前記単位回路ごとに前後方向に直線状配置をなす関係で以って前記単位回路の複数が前後方向に直線状配置にて回路基板の下面に突出状態で前記回路基板に形成された配線パターンの所定部に電気的に接続され、
前記照明用発光ダイオードの個々に対応する配光部を有し前記回路基板に重ね合わせ状態に配置される配光ユニットを有し、
前記配光部は、前記照明用発光ダイオードに対応する凹部を前記回路基板と対向する面に形成したレンズ部を構成した、
照明装置を備え、
前記配光ユニットは、電気絶縁性であり、それぞれの前記配光部の前記凹部には、平面視で前記凹部を包含するように前記凹部よりも大きい面積を有して前記凹部の開口部全周が連通する窪みを有し、前記窪みの前後端部で連通し前後方向に直線状に延び前後端部が前記配光ユニットの外側に開放する一連の通気溝を前記回路基板に対向する面に有し、
前記通気溝及び前記窪みの深さは、前記通気溝及び前記窪みの側壁によって前記照明用発光ダイオードの発光の配光特性が乱されないよう前記凹部の深さよりも浅く、且つ前記窪みの深さは前記回路基板の下面に突出状態の前記照明用発光ダイオードよりも深く、
前記回路基板に配光ユニットが重ね合わせ状態において、前記照明用発光ダイオードが前記配光部の前記凹部と対応し前記微発光防止用コンデンサが前記通気溝に配置される、
ことを特徴とする前後方向に長い形態の照明器具である。